(57)【要約】【課題】電子機器が開いた状態でも自立性を確保することが可能な電子機器を提供する。【解決手段】  第１の筐体（1）と、第２の筐体（2）と、が開閉可能な電子機器（100）であって、第１の筐体（1）と第２の筐体（2）とが閉じた状態で電子機器（100）が柱体形状を構成し、第１の筐体（1）と第２の筐体（2）とが開いた状態で電子機器（100）がくさび形状を構成する。【選択図】図７
2010074796.tif 000002
【特許請求の範囲】
【請求項１】
第１の筐体と、第２の筐体と、が開閉可能な電子機器であって、
前記第１の筐体と前記第２の筐体とが閉じた状態で前記電子機器が柱体形状を構成し、前記第１の筐体と前記第２の筐体とが開いた状態で前記電子機器がくさび形状を構成することを特徴とする電子機器。
【請求項２】
前記柱体形状を構成した前記電子機器の表面に第１の表示部を有し、前記くさび形状を構成した前記電子機器の傾斜面に第２の表示部を有することを特徴とする請求項１記載の電子機器。
【請求項３】
前記傾斜面は、前記第１の筐体と前記第２の筐体とが閉じた状態で、前記第１の筐体と前記第２の筐体とが対向する面で形成されることを特徴とする請求項２記載の電子機器。
【請求項４】
くさび形状を構成した前記電子機器は、前記電子機器の先端側から後端側に向かって次第に肉厚となる形状であり、当該後端側の肉厚面は、平面であることを特徴とする請求項１から３の何れか１項に記載の電子機器。
【請求項５】
くさび形状を構成した前記電子機器の傾斜面と反対側の背面は、平面であることを特徴とする請求項１から４の何れか１項に記載の電子機器。
【請求項６】
前記第２の表示部は、前記第１の筐体と、前記第２の筐体と、に跨った傾斜面に有することを特徴とする請求項２から５の何れか１項に記載の電子機器。
【発明の詳細な説明】
【技術分野】
【０００１】
本発明は、携帯電話機やPDA（Personal Digital Assistance）等の電子機器に関するものである。
【背景技術】
【０００２】
携帯電話機やPDA（Personal Digital Assistance）等に代表される電子機器は、情報の入力操作を行う操作部と、情報を表示するための表示部と、を備えているのが一般的である。その表示部の表示サイズは、電子機器の利便性の観点からは小型にすることが好ましく、表示内容の見易さという観点からは大型にすることが好ましい。
【０００３】
また、近年の電子機器は、電話機としての機能の他に電子メール、インターネット、テレビ等の各種機能を備えている。このため、電子機器の利便性の確保と、表示部の大型化と、を両立する必要性が高まっている。
【０００４】
このようなことから、本発明より先に出願された技術文献として、携帯電話機並みの携行性及び操作性を有し、且つ液晶テレビやPDA並みの大型の画面表示を可能にする表示装置を備えた電子機器について開示された文献がある（例えば、特許文献１参照）。
【０００５】
上記特許文献１では、第１の表示ユニット（1）と、第２の表示ユニット（2）と、２つの表示ユニット（1,2）を連結する連結手段（3）と、を有し、連結手段（3）を中心に２つの表示ユニット（1,2）を折り畳むことで電子機器の小型化を実現している。また、連結手段（3）を中心に２つの表示ユニット（1,2）を展開し、２つの表示ユニット（1,2）に設けられた表示部（1a,2a）を1つに合体することで、大型の画面表示を実現している。
【０００６】
また、本体を大型化することなく、表示部の大型化を実現し、しかも、ユーザにとって扱い易い携帯端末装置について開示された文献がある（例えば、特許文献２参照）。
【０００７】
上記特許文献２では、携帯端末装置（100）を開いた状態で、キー操作部（101）及びカーソルボタン（103）が設けられた面と反対の略全面に、下部表示部（112）及び上部表示部（113）を設けている。これにより、本体を大型化することなく、表示部の大型化を実現している。
【特許文献１】ＷＯ２００５/０２００４６号公報
【特許文献２】特開２００５−１８４２６７号公報
【発明の開示】
【発明が解決しようとする課題】
【０００８】
しかし、上記特許文献１の電子機器は、２つの表示ユニット（1,2）を展開した状態時に扁平形状を構成するため、自立性を確保することができない。従って、２つの表示ユニット（1,2）を展開した状態で地平面上（例えば、卓上等）に設置する場合には、図１８に示すように、電子機器を地平面上に寝かせた状態にしなければならない。
【０００９】
また、上記特許文献２の携帯端末装置も上記特許文献１の電子機器と同様に、携帯端末装置を開いた状態時に扁平形状を構成するため、自立性を確保することができない。従って、携帯端末装置を開いた状態で地平面上に設置する場合には、図１８に示すように、携帯端末装置を地平面上に寝かせた状態にしなければならない。
【００１０】
本発明は、上記事情に鑑みてなされたものであり、上述した課題である、電子機器が開いた状態でも自立性を確保することが可能な電子機器を提供することを目的とする。
【課題を解決するための手段】
【００１１】
かかる目的を達成するために、本発明は、以下の特徴を有することとする。
【００１２】
＜電子機器＞
本発明にかかる電子機器は、第１の筐体と、第２の筐体と、が開閉可能な電子機器であって、前記第１の筐体と前記第２の筐体とが閉じた状態で前記電子機器が柱体形状を構成し、前記第１の筐体と前記第２の筐体とが開いた状態で前記電子機器がくさび形状を構成することを特徴とする。
【発明の効果】
【００１３】
本発明によれば、電子機器が開いた状態でも自立性を確保することが可能となる。
【発明を実施するための最良の形態】
【００１４】
＜本実施形態の電子機器100の概要＞
まず、図１〜図７を参照しながら、本実施形態の電子機器100の概要について説明する。図１〜図３は、電子機器100を折り畳んだ状態を示す図である。図４〜図６は、電子機器100を開いた状態を示す図である。図７は、くさび形状の電子機器100を地平面上に設置した状態を示す図である。
【００１５】
本実施形態の電子機器100は、図１〜図６に示すように、第１の筐体1と、第２の筐体2と、が開閉可能な電子機器100である。そして、図１〜図３に示すように、第１の筐体1と第２の筐体2とが閉じた状態で電子機器100が柱体形状を構成し、図４〜図６に示すように、第１の筐体1と第２の筐体2とが開いた状態で電子機器100がくさび形状を構成する。これにより、本実施形態の電子機器100は、図７に示すようにくさび形状を構成した電子機器100を地平面上に設置することが可能となるため、電子機器100が開いた状態でも自立性を確保することが可能となる。以下、添付図面を参照しながら、本実施形態の電子機器100について詳細に説明する。
【００１６】
（第１の実施形態）
＜電子機器100の構成＞
まず、図１〜図６を参照しながら、本実施形態の電子機器100の構成について説明する。
【００１７】
図１は、本実施形態の電子機器100を折り畳んだ状態を示す図である。図２は、図１に示す電子機器100を横側『a方向』から見た状態を示す図である。図３は、図１に示す電子機器100を上方『b方向』から見た状態を示す図である。図４は、図１に示す電子機器100を開いた状態を示す図である。図５は、図４に示す電子機器100を上方『a方向』から見た状態を示す図である。図６は、図４に示す電子機器100の反対側（傾斜面20側）の状態を示す図である。
【００１８】
本実施形態の電子機器100は、図１〜図６に示すように、第１の筐体1と、第２の筐体2と、がヒンジ部3を介して連結し、第１の筐体1と、第２の筐体2と、がヒンジ部3を介して開閉可能となるように構成している。
【００１９】
そして、本実施形態の電子機器100は、図１〜図３に示すように、第１の筐体1と第２の筐体2とが閉じた状態で柱体形状を構成し、図４〜図６に示すように、第１の筐体1と第２の筐体2とが開いた状態でくさび形状を構成する。
【００２０】
なお、図１〜図３に示す柱体形状を構成した電子機器100は、その電子機器100の表面に第１の表示部10と、操作部11と、を有し、その第１の表示部10と操作部11とを用いて電話機能を実現する。
【００２１】
例えば、ユーザは、操作部11を用いて電話番号を入力すると、その入力された電話番号が第１の表示部10に表示される。そして、第１の表示部10に表示された電話番号の通信機器と通話を開始する。これにより、ユーザは、図１〜図３に示す柱体形状の電子機器100を携帯電話機として利用することが可能となる。
【００２２】
また、図１〜図３に示す柱体形状の電子機器100は、小型化を実現しているため、ユーザは、人が込み合う場所等でも片手で操作部11を操作することが可能となる。なお、図１〜図３に示す柱体形状の電子機器100は、操作部11と第１の表示部10とを用いて、電子メール、インターネット、テレビ等の公知の各種機能を実現することも可能である。
【００２３】
また、図４〜図６に示すくさび形状を構成した電子機器100は、その電子機器100の傾斜面20に第２の表示部12を有し、その第２の表示部12を用いて表示機能を実現する。
【００２４】
例えば、ユーザが操作部11を用いて表示操作を行うと、その表示操作に応じた情報を第２の表示部12に表示する。これにより、ユーザは、操作部11と第２の表示部12とを用いて図４〜図６に示すくさび形状の電子機器100を表示装置として利用することが可能となる。
【００２５】
また、図４〜図６に示すくさび形状を構成した電子機器100は、図５に示すように、電子機器100の先端側から後端側に向かって次第に肉厚となる形状で構成し、その電子機器100の後端側の肉厚面22が平面となっている。このため、本実施形態の電子機器100は、図７に示すように、電子機器100の後端側の肉厚面22を底面として地平面上に設置することで、スタンド等を別途利用することなく、くさび形状の電子機器100を地平面上に直立状態で設置することが可能となる。
【００２６】
また、本実施形態の電子機器100は、電子機器100の後端側の肉厚面22を底面として地平面上に設置した場合に、図７に示すように、傾斜面20が地平面に対して所定の角度（α）を構成する。その結果、本実施形態の電子機器100は、第２の表示部12の表示内容をユーザにとって最適な角度から視認させることが可能となる。なお、図７に示す電子機器100を『a方向』から見た状態を図８に示す。また、『b方向』から見た状態を図９に示す。図８は、くさび形状を構成した電子機器100の背面21側の状態を示し、図９は、くさび形状を構成した電子機器100の傾斜面20側の状態を示す。
【００２７】
本実施形態の電子機器100は、図７に示すようにくさび形状を構成した場合には、図９に示すように、第２の表示部12が大型の画面表示を実現した状態で地平面上に直立状態で設置することが可能となる。その際、本実施形態の電子機器100は、図７に示すように、傾斜面20が地平面に対して所定の角度（α）を構成することになる。その結果、ユーザは、図７に示すb'方向から表示内容を容易に見ることが可能となる。図７に示すb'方向は、傾斜面20に対して90°を成す方向を示す。このため、本実施形態の電子機器100は、第２の表示部12が大型の画面表示を実現した状態で電子機器100を地平面上に設置し、ユーザが第２の表示部12の表示内容を容易に見ることが可能となる。
【００２８】
なお、傾斜面20に設ける第２の表示部12の配置位置や大きさは特に限定するものではなく、第２の表示部12を様々な態様で傾斜面20に設けることが可能である。例えば、第１の筐体1側の傾斜面20に第２の表示部12を設けたり、第２の筐体2側の傾斜面20に第２の表示部12を設けたり、第１の筐体1と第２の筐体2とに跨った傾斜面20に第２の表示部12を設けたりすることも可能である。なお、大型の画面表示を実現するためには、図７、図９に示すように、第１の筐体1と第２の筐体2とに跨った傾斜面20に第２の表示部12を設けるようにすることが好ましい。また、第２の表示部12には、テレビや、テレビ電話等の、画面上からの入力操作を伴わない画面を表示することが好ましい。
【００２９】
また、第１の筐体1と第２の筐体2とに跨った傾斜面20に第２の表示部12を設けるようにする場合には、第１の筐体1と第２の筐体2とを水平状態で隣接させるように構成することが好ましい。これにより、第２の表示部12に表示する画像をヒンジ3の部分で途切れさせることなく連続的に表示することが可能となる。
【００３０】
第１の筐体1と第２の筐体2とを水平状態で隣接させるためには、図１０に示すように、第１の筐体1と第２の筐体2とをヒンジ部3で連結することになる。図１０（a）、（b）は、本実施形態のヒンジ部3の構成を示す図であり、図１０（a）は、図１〜図３に示す柱体形状時の電子機器100のヒンジ部3を示す図である。また、図１０（b）は、図４〜図６に示すくさび形状時の電子機器100のヒンジ部3を示す図である。図１０（a）、（b）に示すように、ヒンジ部3は、第１の筐体1内の軸部材31と、第２の筐体2内の軸部材32と、にそれぞれ接続されている。そして、ヒンジ部3は、軸部材31及び軸部材32を軸として回動可能な状態にしている。この図１０（a）、（b）に示すヒンジ部3の回動により、第１の筐体1と第２の筐体2とを回動させ、図１〜図３に示す柱体形状の電子機器100と、図４〜図６に示すくさび形状の電子機器100と、を構成するようにしている。そして、電子機器100がくさび形状を構成した場合に、図１０（b）に示すように、第１の筐体1と第２の筐体2とは隣接して連続すると共に水平状態となる。また、ヒンジ部3は、第１の筐体1及び第２の筐体2との内部に収納されることになる。
【００３１】
＜電子機器100の機能構成＞
次に、図１１を参照しながら、本実施形態の電子機器100の機能構成について説明する。図１１は、本実施形態の電子機器100の機能構成例を示す図である。
【００３２】
本実施形態の電子機器100は、図１１に示すように、第１の表示部10と、操作部11と、第２の表示部12と、制御部13と、通信部14と、記憶部15と、状態検知部16と、を含んで構成している。
【００３３】
第１の表示部10は、各種情報を表示するものである。操作部11は、各種操作を行うものである。第２の表示部12は、各種情報を表示するものである。
【００３４】
制御部13は、電子機器100の制御を行うものである。通信部14は、他の通信機器と通信を行うものである。記憶部15は、第１の表示部10や、第２の表示部12に表示する情報や、電子機器100を制御するためのプログラム等を記憶するものである。
【００３５】
状態検知部16は、電子機器100の状態を検知するものである。具体的には、電子機器100が図１〜図３に示す柱体形状を構成した状態と、電子機器100が図４〜図６に示すくさび形状を構成した状態と、を検知する。なお、状態検知部16は、電子機器100が柱体形状を構成した状態と、電子機器100がくさび形状を構成した状態と、を検知することが可能であれば、その検知方法は特に限定するものではなく、様々な検知方法を適用することが可能である。
【００３６】
例えば、第１の筐体1と第２の筐体2とが閉じている状態を状態検知部16が検知した場合は、図１〜図３に示す柱体形状を構成した状態と判断し、第１の筐体1と第２の筐体2とが開いている状態を状態検知部16が検知した場合は、図４〜図６に示すくさび形状を構成した状態と判断する。
【００３７】
本実施形態の制御部13は、図１〜図３に示すように電子機器100が柱体形状を構成した場合には、第１の表示部10の制御を行い、図４〜図６に示すように電子機器100がくさび形状を構成した場合には、第２の表示部12の制御を行う。以下、本実施形態の電子機器100における表示制御について説明する。
【００３８】
＜柱体形状時の電子機器100における表示制御＞
まず、図１〜図３に示す柱体形状時の電子機器100における表示制御について説明する。
【００３９】
電子機器100が柱体形状を構成した状態を状態検知部16が検知した場合には、制御部13は、第１の表示部10の制御を行う。例えば、ユーザが操作部11を用いて表示操作を行うと、制御部13は、その表示操作に応じた情報を第１の表示部10に表示する。これにより、ユーザは、柱体形状を構成した電子機器100の操作部11を片手で操作し、その操作に応じた情報を第１の表示部10上で視聴することが可能となる。
【００４０】
＜くさび形状時の電子機器100における表示制御＞
次に、図４〜図６に示すくさび形状時の電子機器100における表示制御について説明する。
【００４１】
電子機器100がくさび形状を構成した状態を状態検知部16が検知した場合には、制御部13は、第２の表示部12の制御を行う。例えば、ユーザが操作部11を用いて表示操作を行うと、制御部13は、その表示操作に応じた情報を第２の表示部12に表示する。これにより、ユーザは、くさび形状を構成した電子機器100の操作部11を操作し、その操作に応じた情報を第２の表示部12上で視聴することが可能となる。なお、第２の表示部12がタッチパネル機能を搭載している場合には、制御部13は、第２の表示部12からの表示操作に応じた情報を第２の表示部12に表示するように制御することも可能である。また、電子機器100と通信可能なリモコンがある場合には、制御部13は、リモコンからの表示操作に応じた情報を第２の表示部12に表示するように制御することも可能である。
【００４２】
また、制御部13は、柱体形状時の電子機器100の第１の表示部10に表示した情報を、くさび形状時の電子機器100の第２の表示部12にそのまま表示するように制御することも可能である。また、くさび形状時の電子機器100の第２の表示部12に表示した情報を、柱体形状時の電子機器100の第１の表示部10にそのまま表示するように制御することも可能である。
【００４３】
＜本実施形態の電子機器100の作用・効果＞
このように、本実施形態の電子機器100は、図１〜図３に示すように、第１の筐体1と第２の筐体2とが閉じた状態で柱体形状を構成する。その結果、電子機器100の小型化を実現し、ユーザは、人が込み合う場所等でも操作部11を片手で操作し、第１の表示部10に表示した情報を視聴することが可能となる。また、図４〜図６に示すように、第１の筐体1と第２の筐体2とが開いた状態でくさび形状を構成する。その結果、電子機器100が開いた状態でも自立性を確保することが可能となる。このため、本実施形態の電子機器100は、図７、図９に示すように、第２の表示部12が大型の画面表示を実現した状態で電子機器100を地平面上に設置し、ユーザが第２の表示部12の表示内容を容易に見ることが可能となる。
【００４４】
（第２の実施形態）
次に、第２の実施形態について説明する。
【００４５】
第１の実施形態の電子機器100は、図７、図９に示すように、くさび形状を構成した電子機器100の後端側の肉厚面22を底面として地平面上に設置し、第２の表示部12に各種情報を表示することにした。
【００４６】
第２の実施形態の電子機器100は、図１２に示すように、くさび形状を構成した電子機器100の傾斜面20と反対側の背面21を底面として地平面上に設置し、第２の表示部12に各種情報を表示することを特徴とする。これにより、第１の実施形態と同様に、第２の表示部12が大型の画面表示を実現した状態で電子機器100を地平面上に設置し、ユーザが第２の表示部12の表示内容を容易に見ることが可能となる。以下、添付図面を参照しながら、第２の実施形態について説明する。なお、本実施形態の電子機器100の外観形状は、上述した第１の実施形態の電子機器100と同様に構成するため、電子機器100における制御方法についてのみ詳細に説明する。
【００４７】
本実施形態の電子機器100は、図４〜図６に示すくさび形状を構成した場合には、図５に示すように、電子機器100の傾斜面20と反対側の背面21が平面となっている。このため、本実施形態の電子機器100は、図１２に示すように電子機器100の背面21を底面として地平面上に設置した場合に、傾斜面20が地平面に対して所定の角度（β）を構成する。その結果、本実施形態の電子機器100は、第２の表示部12の表示内容をユーザにとって最適な角度から視認させることが可能となる。
【００４８】
本実施形態の電子機器100は、くさび形状を構成した場合には、図１２に示すように、第２の表示部12が大型の画面表示を実現した状態で地平面上に設置することが可能となる。その際、本実施形態の電子機器100は、図１２に示すように、傾斜面20が地平面に対して所定の角度（β）を構成することになる。その結果、ユーザは、図１２に示すa'方向から表示内容を容易に見ることが可能となる。図１２に示すa'方向は、傾斜面20に対して90°を成す方向を示す。このため、本実施形態の電子機器100は、第２の表示部12が大型の画面表示を実現した状態で電子機器100を地平面上に設置し、ユーザが第２の表示部12の表示内容を容易に見ることが可能となる。
【００４９】
なお、本実施形態の電子機器100は、第２の表示部12にタッチパネル機能を搭載し、画面上からの入力操作が可能な画面を第２の表示部12に表示することが好ましい。画面上からの入力操作が可能な画面としては、例えば、図１３に示すtablet機能や、図１４に示すkey board機能などの画面が挙げられる。これにより、図１２に示すように電子機器100の背面21を底面として地平面上に設置した場合に、第２の表示部12の表示内容をユーザに容易に視認させると共に、第２の表示部12からの入力操作も容易にさせることが可能となる。図１３に示すtablet機能は、ペン30を用いて画面上からの入力操作が可能な機能である。図１４に示すkey board機能は、画面上に表示された操作キーを用いて画面上からの入力操作が可能な機能である。
【００５０】
＜本実施形態の電子機器100の作用・効果＞
このように、本実施形態の電子機器100は、図１２に示すように、くさび形状を構成した電子機器100の傾斜面20と反対側の背面21を底面として地平面上に設置し、第２の表示部12に各種情報を表示する。これにより、第１の実施形態と同様に、第２の表示部12が大型の画面表示を実現した状態で電子機器100を地平面上に設置し、ユーザが第２の表示部12の表示内容を容易に見ることが可能となる。
【００５１】
（第３の実施形態）
次に、第３の実施形態について説明する。
【００５２】
第３の実施形態の電子機器100は、図７に示すように電子機器100の後端側の肉厚面22を地平面上に設置した場合と、図１２に示すように電子機器100の背面21を地平面上に設置した場合と、で第２の表示部12に表示する画面の天地の向きを変更するように制御する。これにより、電子機器100の設置状態に応じて第２の表示部12に表示される画面の天地の向きを変更し、図７に示す設置状態や図１２に示す設置状態でも、第２の表示部12に表示される画面の表示内容をユーザにとって最適な角度から視認させることが可能となる。以下、添付図面を参照しながら、本実施形態の電子機器100について詳細に説明する。なお、本実施形態の電子機器100の外観形状は、上述した実施形態の電子機器100と同様に構成するため、電子機器100における制御方法についてのみ詳細に説明する。
【００５３】
本実施形態の電子機器100は、図７に示すように電子機器100の後端側の肉厚面22を底面として地平面上に設置した場合に、傾斜面20が地平面に対して所定の角度（α）を構成する。その結果、本実施形態の電子機器100は、第２の表示部12の表示内容をユーザにとって最適な角度から視認させることが可能となる。なお、図７に示す電子機器100を『b方向』から見た状態を図１５に示す。図１５では、第２の表示部12に表示される画面の上側が電子機器100の先端側となり、画面の下側が電子機器100の後端側となっている。
【００５４】
また、本実施形態の電子機器100は、図１２に示すように電子機器100の背面21を底面として地平面上に設置した場合に、傾斜面20が地平面に対して所定の角度（β）を構成する。その結果、本実施形態の電子機器100は、第２の表示部12の表示内容をユーザにとって最適な角度から視認させることが可能となる。なお、図１２に示す電子機器100を『a方向』から見た状態を図１６に示す。図１６では、第２の表示部12に表示される画面の上側が電子機器100の後端側となり、画面の下側が電子機器100の先端側となっている。
【００５５】
なお、本実施形態の電子機器100は、図７に示すように、電子機器100の後端側の肉厚面22を地平面上に設置した場合は、図１５に示すように、電子機器100の後端側が第２の表示部12の下側になり、先端側が第２の表示部12の上側になる。また、図１２に示すように、電子機器100の背面21を地平面上に設置した場合は、図１６に示すように、電子機器100の先端側が第２の表示部12の下側になり、後端側が第２の表示部12の上側になる。
【００５６】
このため、本実施形態の電子機器100は、図７に示すように電子機器100の後端側の肉厚面22を地平面上に設置した場合と、図１２に示すように電子機器100の背面21を地平面上に設置した場合と、で第２の表示部12に表示する画面の天地の向きを変更するように制御する。これにより、本実施形態の電子機器100は、電子機器100の設置状態に応じて第２の表示部12に表示する画面の天地の向きを変更し、図７に示す設置状態や図１２に示す設置状態でも、第２の表示部12に表示される画面の表示内容をユーザにとって最適な角度から視認させることが可能となる。なお、画面の天地の向きを変更するように制御する方法としては、以下の方法が挙げられる。
【００５７】
＜第１の方法＞
電子機器100の肉厚面22と背面21とに接触センサ（図示せず）を設ける。状態検知部16は、接触センサが検知した検知信号を基に、電子機器100の肉厚面22が地平面上に設置された状態（図７に示す状態）か、または、電子機器100の背面21が地平面上に設置された状態（図１２に示す状態）かを判断する。そして、制御部13は、状態検知部16の判断結果に応じて第２の表示部12に表示する画面の天地の向きを変更する。具体的には、肉厚面22に設けた接触センサが検知信号を出力した場合には、状態検知部16は、電子機器100の肉厚面22が地平面上に設置された状態（図７に示す状態）と判断する。そして、制御部13は、状態検知部16の判断結果を基に、第２の表示部12に表示する画面を図１５に示すように表示する。また、背面21に設けた接触センサが検知信号を出力した場合には、状態検知部16は、電子機器100の背面21が地平面上に設置された状態（図１２に示す状態）と判断する。そして、制御部13は、状態検知部16の判断結果を基に、第２の表示部12に表示する画面を図１６に示すように表示する。これにより、状態検知部16は、接触センサからの検知信号を基に電子機器100の設置状態を判断し、制御部13は、状態検知部16の判断結果に応じて第２の表示部12に表示する画面の天地の向きを変更するように制御することが可能となる。
【００５８】
＜第２の方法＞
電子機器100に重力センサ（図示せず）を設ける。重力センサは、電子機器100の重力方向を検知し、その検知結果を制御部13に出力する。状態検知部16は、重力センサが検知した検知結果を基に、電子機器100の肉厚面22が地平面上に設置された状態（図７に示す状態）か、または、電子機器100の背面21が地平面上に設置された状態（図１２に示す状態）かを判断する。そして、制御部13は、状態検知部16の判断結果に応じて第２の表示部12に表示する画面の天地の向きを変更する。具体的には、電子機器100の後端側が下側に位置し、先端側が上側に位置していると重力センサが検知した場合には、状態検知部16は、電子機器100の肉厚面22が地平面上に設置されたと状態（図７に示す状態）と判断する。そして、制御部13は、状態検知部16の判断結果を基に、第２の表示部12に表示する画面を図１５に示すように表示する。また、電子機器100の背面21側が下側に位置し、傾斜面20側が上側に位置していると重力センサが検知した場合には、状態検知部16は、電子機器100の背面21が地平面上に設置された状態（図１２に示す状態）と判断する。そして、制御部13は、状態検知部16の判断結果を基に、第２の表示部12に表示する画面を図１６に示すように表示する。これにより、状態検知部16は、重力センサからの検知結果を基に電子機器100の設置状態を判定し、制御部13は、状態検知部16の判断結果に応じて第２の表示部12に表示する画面の天地の向きを変更するように制御することが可能となる。
【００５９】
＜第３の方法＞
図１７に示すように、電子機器100に傾斜センサ200を設ける。傾斜センサ200は、電子機器100の傾斜方向を検知する。状態検知部16は、傾斜センサ200が検知した検知結果を基に、電子機器100の肉厚面22が地平面上に設置された状態（図７に示す状態）か、または、電子機器100の背面21が地平面上に設置された状態（図１２に示す状態）かを判断する。そして、制御部13は、状態検知部16の判断結果に応じて第２の表示部12に表示する画面の天地の向きを変更する。具体的には、図７に示すように電子機器100の肉厚面22を地平面上に設置した場合には、球202が筒201内の第１の検知センサ203に接触し、状態検知部16は、電子機器100の肉厚面22が地平面上に設置された状態（図７に示す状態）と判断する。そして、制御部13は、状態検知部16の判断結果を基に、第２の表示部12に表示する画面を図１５に示すように表示する。また、図１２に示すように電子機器100の背面21を地平面上に設置した場合には、球202が筒201内の第２の検知センサ204に接触し、状態検知部16は、電子機器100の背面が地平面上に設置された状態（図１２に示す状態）と判断する。そして、制御部13は、状態検知部16の判断結果を基に、第２の表示部12に表示する画面を図１６に示すように表示する。これにより、状態検知部16は、傾斜センサ200からの検知結果を基に、電子機器100の設置状態を判断し、制御部13は、状態検知部16の判断結果に応じて第２の表示部12に表示する画面の天地の向きを変更するように制御することが可能となる。
【００６０】
なお、本実施形態の電子機器100は、図７に示すように電子機器100の後端側の肉厚面22を底面として地平面上に設置した場合と、図１２に示すように電子機器100の背面21を底面として地平面上に設置した場合と、で第２の表示部12に表示する画面自体を変更するように制御することも可能である。
【００６１】
例えば、図７に示すように電子機器100の後端側の肉厚面22を底面として地平面上に設置した場合には、画面上からの入力操作が不可能な画面を第２の表示部12に表示するように制御する。画面上からの入力操作が不可能な画面としては、例えば、テレビ機能や、ストリーミング配信機能などの画面が挙げられる。また、図１２に示すように電子機器100の背面21を底面として地平面上に設置した場合には、画面上からの入力操作が可能な画面（図１３、図１４に示す画面）を第２の表示部12に表示するように制御する。
【００６２】
これにより、電子機器100の設置状態に応じて第２の表示部12に表示される画面自体を変更することになるため、電子機器100の設置状態に応じた最適な機能をユーザに使用させることが可能となる。
【００６３】
なお、本実施形態の電子機器100は、第１の筐体1と、第２の筐体2と、がヒンジ部3を介して連結して構成している。このため、上述した重力センサや、傾斜センサ200を電子機器100に設ける場合には、第１の筐体1と、第２の筐体2と、の少なくとも一方に設けることになる。そして、電子機器100がくさび形状を構成した場合に、重力センサや、傾斜センサを機能させ、重力センサや、傾斜センサの検知結果を基に、第２の表示部12の表示制御を行うことになる。また、電子機器100に接触センサを設ける場合も同様に、電子機器100がくさび形状を構成した場合に、接触センサを機能させ、接触センサの検知結果を基に、第２の表示部12の表示制御を行うことになる。これにより、くさび形状を構成した電子機器100の設置状態に応じて第２の表示部12に表示する画面を制御することが可能となる。
【００６４】
＜本実施形態の電子機器100の作用・効果＞
このように、本実施形態の電子機器100は、図１２に示すように電子機器100の背面21を平面上に設置した第１の状態と、図７に示すように電子機器100の後端側の肉厚面22を平面上に設置した第２の状態と、で第２の表示部12に表示する画面の天地の向きを変更するように制御する。これにより、本実施形態の電子機器100は、電子機器100の設置状態に応じて第２の表示部12に表示する画面の天地の向きを変更し、図１２に示す設置状態や図７に示す設置状態でも、第２の表示部12に表示される画面の表示内容をユーザにとって最適な角度から視認させることが可能となる。
【００６５】
また、本実施形態の電子機器100は、図１２に示すように電子機器100の背面21を平面上に設置した第１の状態と、図７に示すように電子機器100の後端側の肉厚面22を平面上に設置した第２の状態と、で第２の表示部12に表示する画面自体を変更するように制御する。これにより、本実施形態の電子機器100は、電子機器100の設置状態に応じて第２の表示部12に表示される画面自体を変更することが可能となる。その結果、電子機器100の設置状態に応じた最適な機能をユーザに使用させることが可能となる。
【００６６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６７】
例えば、上述した実施形態では、図１２に示すように電子機器100の背面21を平面上に設置した第１の状態と、図７に示すように電子機器100の後端側の肉厚面22を平面上に設置した第２の状態と、で第２の表示部12に表示する画面の天地の向きを変更するように制御した。しかし、第１の表示部10に表示する画面の向きを、その電子機器100の設置状態に応じて変更するように構築することも可能である。
【００６８】
また、上述した実施形態の電子機器100は、柱体形状を構成した電子機器100の表面に第１の表示部10と、操作部11と、を有して構成したが、第１の表示部10にタッチパネル機能を搭載し、操作部11を設けないように構成することも可能である。
【００６９】
また、上述した本実施形態における電子機器100を構成する各部における制御動作は、ハードウェア、または、ソフトウェア、あるいは、両者の複合構成を用いて実行することも可能である。
【００７０】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００７１】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００７２】
また、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【産業上の利用可能性】
【００７３】
本発明は、携帯電話機,PDA等の通信機器、ノートPC等の情報処理装置、カメラ等の撮像装置、液晶テレビ,デジタルフォトフレーム等の表示装置に適用可能である。
【図面の簡単な説明】
【００７４】
【図１】本実施形態の電子機器100の外観形状を示す図であり、電子機器100を折り畳んだ状態を示す図である。
【図２】図１に示す電子機器100を横側『a方向』から見た状態を示す図である。
【図３】図１に示す電子機器100を上方『b方向』から見た状態を示す図である。
【図４】図１に示す電子機器100を開いた状態を示す図である。
【図５】図４に示す電子機器100を上方『a方向』から見た状態を示す図である。
【図６】図４に示す電子機器100の反対側（傾斜面20側）の状態を示す図である。
【図７】電子機器100の後端側の肉厚面22を平面（地平面）上に設置した状態を示す図である。
【図８】図７に示す設置状態時の電子機器100の背面21側の状態を示す図である。
【図９】図７に示す設置状態時の電子機器100の傾斜面20側の状態を示す図である。
【図１０】本実施形態の電子機器100のヒンジ部3の構成を示す図である。
【図１１】本実施形態の電子機器100の機能構成例を示す図である。
【図１２】電子機器100の背面21を平面（地平面）上に設置した状態を示す図である。
【図１３】第２の表示部12に表示する画面（tablet機能画面）例を示す図である。
【図１４】第２の表示部12に表示する画面（key board機能画面）例を示す図である。
【図１５】図７に示す設置状態時の第２の表示部12の表示画面例を示す図である。
【図１６】図１２に示す設置状態時の第２の表示部12の表示画面例を示す図である。
【図１７】電子機器100に搭載される傾斜センサ200の構成例を示す図である。
【図１８】扁平形状を構成した電子機器、携帯端末装置を地平面上に寝かせた状態を示す図である。
【符号の説明】
【００７５】
１００    電子機器
１    第１の筐体
２    第２の筐体
３    ヒンジ部
１０    第１の表示部
１１    操作部
１２    第２の表示部
１３    制御部
１４    通信部
１５    記憶部
１６    状態検知部
２０    傾斜面
２１    背面
２２    肉厚面
３０    ペン
【図１】
2010074796.tif 000003
【図２】
2010074796.tif 000004
【図３】
2010074796.tif 000005
【図４】
2010074796.tif 000006
【図５】
2010074796.tif 000007
【図６】
2010074796.tif 000008
【図７】
2010074796.tif 000009
【図８】
2010074796.tif 000010
【図９】
2010074796.tif 000011
【図１０】
2010074796.tif 000012
【図１１】
2010074796.tif 000013
【図１２】
2010074796.tif 000014
【図１３】
2010074796.tif 000015
【図１４】
2010074796.tif 000016
【図１５】
2010074796.tif 000017
【図１６】
2010074796.tif 000018
【図１７】
2010074796.tif 000019
【図１８】
2010074796.tif 000020